(57)【要約】【課題】常設されたレピータ装置や１．５ＭＰＤＨ装置がなくても、試験を行うことが可能な試験用電話機を提供する。【解決手段】伝送路を介して接続された複数の搬送装置と、搬送装置に通じる搬送回線と電話機に通じる２線電話回線との間を中継接続するレピータ装置とを少なくとも介して交換機と電話機とが接続される電話回線に用いられる試験用電話機２０において、搬送回線（６Ｗ）に通じる測定端子に接続可能な測定ケーブル２６を接続可能とする入出力差込口２７と、入出力差込口２７を介して測定ケーブル２６に接続する入出力線３０を２線電話回線に変換する６Ｗ／２Ｗ変換回路３２と、６Ｗ／２Ｗ変換回路３２で変換された２線電話回線に接続されて信号の送受信に伴う処理を行う回線処理部３３とを設ける。試験用電話機２０にレピータ装置の機能（６Ｗ／２Ｗ変換回路３２）が内蔵されているので、効率的な試験が可能となる。【選択図】      図２
2008271061.tif 000002
【特許請求の範囲】
【請求項１】
伝送路を介して接続された複数の搬送装置と、前記搬送装置に通じる搬送回線と電話機に通じる２線電話回線との間を中継接続するレピータ装置とを少なくとも介して交換機と前記電話機とが接続される電話回線に用いられる試験用電話機において、
前記搬送回線に通じる測定端子に接続可能な測定ケーブルを接続可能とするコネクタ部と、
前記コネクタ部を介して前記測定ケーブルに接続する入出力線を２線電話回線に変換する回線変換部と、
前記回線変換部で変換された２線電話回線に接続されて信号の送受信に伴う処理を行う回線処理部と
を有することを特徴とする試験用電話機。
【請求項２】
前記コネクタ部は、前記レピータ装置の２線電話回線接続用端子に接続可能な測定ケーブルとも接続可能であり、
前記コネクタ部を介して前記測定ケーブルに接続する入出力線を前記搬送回線に通じる測定端子との間で信号を送受可能とする状態か前記レピータ装置の２線電話回線接続用端子との間で信号を送受可能とする状態かに切り替える入線切替部を備え、
前記入線切替部は、前記搬送回線に通じる測定端子との間で信号を送受可能とする状態に切り替えられた場合に前記入出力線を前記回線変換部に接続し、前記レピータ装置の２線電話回線接続用端子との間で信号を送受可能とする状態に切り替えられた場合に前記入出力線を前記回線処理部に接続する
ことを特徴とする請求項１記載の試験用電話機。
【請求項３】
前記コネクタ部に接続された測定ケーブルの先端を終端することで前記測定ケーブルの導通試験を行うケーブル試験手段を具備することを特徴とする請求項１又は２記載の試験用電話機。
【発明の詳細な説明】
【技術分野】
【０００１】
本発明は、交換機と電話機とが接続された電話回線を試験するために有用なレピータ装置の機能を内蔵した試験用電話機に関する。
【背景技術】
【０００２】
複数の事業所等の間で直通電話回線や自動電話回線を構成する場合には、通信機械室にあるＩＤＦ(中間配線盤：intermediate distribution frame)のジャンパー線を使って回線を構成している。
【０００３】
例えば、図３に示すように、交換機１が設置されたＡ地点から、Ｂ地点を経由して、電話機２が設置されたＣ地点を結んで電話回線３を構成する場合、Ａ地点において交換機１を搬送装置４に接続し、またＣ地点において電話機２をレピータ装置（ＲＥＰ）５を介して搬送装置６に接続し、Ｂ地点においてＡ地点の搬送装置４と伝送路７を介して接続する搬送装置８とＣ地点の搬送装置６と伝送路９を介して接続する搬送装置１０とをＩＤＦ１１の図示しないジャンパ線を介して接続するようにしている。
【０００４】
このような電話回線においては、交換機１と搬送装置４との間、搬送装置６とレピータ装置５との間、搬送装置８，１０とＩＤＦ１１との間はそれぞれ６Ｗ（６ワイヤ：送信用２ワイヤ、受信用２ワイヤ、ベル用２ワイヤ）の搬送回線で接続され、電話機２とレピータ装置５との間は２Ｗ（２ワイヤ）の電話回線で接続されている。したがって、レピータ装置５は、２線式電話回線と搬送回線との間を中継接続する機能を有している（特許文献１、非特許文献１参照）。
【特許文献１】特開平６ー６４５８号公報
【非特許文献１】“ハイブリッドレピータ装置”、［online］、大井電気株式会社、インターネット<http://www.ooi.co.jp/manufact/jyouhou/html/oinet-335/index.html>
【発明の開示】
【発明が解決しようとする課題】
【０００５】
ところで、電話機２での通話ができなくなった場合、予想される障害としては、電話機自体の故障か通信線路の故障が考えられる。電話機２の故障であれば、電話機２を交換すればよいが、通信線路に異常がある場合には、交換機側から順次回線を切り分けして通信線路を調査する必要がある。
【０００６】
この場合、従来であれば、試験機用電話機１５をレピータ装置５の２線式電話回線用端子５ａに接続して調査するようにしていたので、Ｂ地点の搬送装置間で切り分け試験を行う場合には、Ｂ地点に常設されたレピータ装置１６があれば、そのレピータ装置１６の空いている２線式電話回線用端子１６ａに試験用電話機１５を接続し、ＩＤＦ１１のジャンパ線を、搬送装置８と搬送装置１０との接続から搬送装置８とレピータ装置１６との接続に切り替え（レピータ装置１６の空きがある端子部分に回線を振り）、試験を行うようにしていた。
即ち、ＩＤＦ１１のジャンパ線を搬送装置８とレピータ装置１６とに接続変更し、試験を行った後にＩＤＦ１１のジャンパ線を再び搬送装置８と搬送装置１０との接続へ戻すようにしていた。
【０００７】
また、レピータ装置１６の２線式電話回線用端子１６ａに空きがない場合においても、レピータ装置１６としての機能を有する１．５ＭＰＤＨ装置１７がある場合には、そのＴＥＬ盤１７ａを利用して同様の試験が可能である。
即ち、搬送装置１０のチャンネル基板の測定端子１０ａと１．５ＭＰＤＨ装置１７のＴＥＬ盤１７ａとを測定ケーブル１８で接続し、不良箇所の有無を判定した後に測定ケーブル１８を外すようにしていた。
【０００８】
しかしながら、ＩＤＦ１１のジャンパ線により回線を切り替える作業は、手間がかかり、試験をするまでに時間を要する不都合がある。また、レピータ装置５，１６の２線式電話回線用端子５ａ，１６ａに空きがない場合やレピータ装置１６がない場合には試験ができない不都合がある。さらに、中継地点でレピータ装置１６を利用する場合、ＩＤＦ１１で回線を切り替えて試験をするので、同地点の電話機２に近い側の搬送装置（図３のＢ地点の搬送装置１０）の動作不良の有無を調べる場合には、Ｃ地点に移動して試験をしなければ不良の有無を判断できない不都合があった。
【０００９】
この場合、上述したように、１．５ＭＰＤＨ装置１７があれば、そのＴＥＬ盤１７ａを利用することで搬送装置１０の試験が可能であるが、この装置がない場合には、試験を行うことができず、また、１．５ＭＰＤＨ装置１７があっても、測定ケーブル長には限界があるため、搬送装置１０と１．５ＭＰＤＨ装置１７との間が離れている場合には、試験が不可能となる。
【００１０】
本発明はかかる事情に鑑みてなされたものであり、常設されたレピータ装置や１．５ＭＰＤＨ装置がなくても、試験を行うことが可能な試験用電話機を提供することを主たる課題としている。
【課題を解決するための手段】
【００１１】
上記課題を達成するために、本発明に係る試験用電話機は、伝送路を介して接続された複数の搬送装置と、前記搬送装置に通じる搬送回線と電話機に通じる２線電話回線との間を中継接続するレピータ装置とを少なくとも介して交換機と前記電話機とが接続される電話回線に用いられるものにおいて、前記搬送回線に通じる測定端子に接続可能な測定ケーブルを接続可能とするコネクタ部と、前記コネクタ部を介して前記測定ケーブルに接続する入出力線を２線電話回線に変換する回線変換部と、前記回線変換部で変換された２線電話回線に接続されて信号の送受信に伴う処理を行う回線処理部とを有することを特徴としている。
【００１２】
したがって、コネクタ部に搬送回線に通じる測定端子に接続可能な測定ケーブルを接続すれば、コネクタ部を介して測定ケーブルに接続する入出力線が回線変換部により２線電話回線に変換され、回線処理部により従前の送受信に伴う処理が行われるので、回線変換部により搬送回線と２線電話回線とを中継するレピータ装置としての機能を持たせることが可能となり、搬送装置に直接接続して回線及び搬送装置の試験を行うことが可能となる。このため、常設されたレピータ装置や１．５ＭＰＤＨを用いなくても試験することが可能となる。
【００１３】
また、上述の構成において、コネクタ部を前記レピータ装置の２線電話回線接続用端子に接続可能な測定ケーブルとも接続可能とし、前記コネクタ部を介して前記測定ケーブルに接続する入出力線を前記搬送回線に通じる測定端子との間で信号を送受可能とする状態か前記レピータ装置の２線電話回線接続用端子との間で信号を送受可能とする状態かに切り替える入線切替部を備え、前記入線切替部により、前記搬送回線に通じる測定端子との間で信号を送受可能とする状態に切り替えられた場合に前記入出力線を前記回線変換部に接続し、前記レピータ装置の２線電話回線接続用端子との間で信号を送受可能とする状態に切り替えられた場合に前記入出力線を前記回線処理部に接続するようにしてもよい。
【００１４】
このような構成においては、コネクタ部に搬送回線に通じる測定端子に接続可能な測定ケーブルとレピータ装置の２線電話回線接続用端子に接続可能な測定ケーブルとを選択的に接続させることができ、入力信号切替部により、接続された測定ケーブルに応じて、搬送回線に通じる測定端子との間で信号を送受可能とする状態かレピータ装置の２線電話回線接続用端子との間で信号を送受可能とする状態かが切り替えられ、信号を送受可能とする状態が搬送回線に通じる測定端子との間で信号を送受可能とする状態に切り替えられた場合に入出力線を回線変換部に接続して、この回線変換部を介して回線処理部との間で信号を送受できるようにし、また、信号を送受可能とする状態がレピータ装置の２線電話回線接続用の端子との間で信号を送受可能とする状態に切り替えられた場合に入出力線を回線処理部に直接接続するようにしたので、試験用電話機を搬送装置にもレピータ装置にも測定ケーブルを介して接続できるようになり、１つの試験用電話機で両装置の試験が可能となる。
【００１５】
さらに、測定用電話機は、コネクタ部に接続された測定ケーブルの先端を終端することで該測定ケーブルの導通試験を行うケーブル試験手段を具備するようにしてもよい。このような構成とすれば、試験用電話機で測定ケーブルの導通試験も行うことが可能となるので、測定ケーブルの断線などによる誤測定を避けることが可能となる。
【発明の効果】
【００１６】
以上述べたように、本発明による試験用電話機よれば、搬送回線に通じる測定端子に接続可能な測定ケーブルを接続可能とするコネクタ部と、このコネクタ部を介して測定ケーブルに接続する入出力線を２線電話回線に変換する回線変換部と、回線変換部で変換された２線電話回線に接続されて信号の送受信に伴う処理を行う回線処理部とを有するので、搬送回線を２線電話回線に変換するレピータ装置の機能を持たせることが可能となり、搬送装置の測定端子を介して回線や搬送装置の試験が可能となる。このため、レピータ装置に試験用電話機を接続する回線が空いていない場合や、レピータ装置や１．５ＭＰＤＨ装置が無い箇所においても、電話回線や搬送装置の試験が可能となり、また、ＩＤＦのジャンパ線の切り替えが不要となる。
【００１７】
特に、コネクタ部を、レピータ装置の２線電話回線接続用端子に接続可能な測定ケーブルとも接続可能とし、信号を送受可能とする状態を搬送回線に通じる測定端子との間で信号を送受可能とする状態に切り替えて入出力線を回線変換部に接続したり、レピータ装置の２線電話回線接続用端子との間で信号を送受可能とする状態に切り替えて入出力線を回線処理部に直接接続するようにすれば、１台の試験用電話機で搬送装置とレピータ装置とを試験することが可能となる。
【００１８】
また、試験用電話機に、コネクタ部に接続された測定ケーブルの先端を終端することで測定ケーブルの導通試験が行える機能を持たせることで、測定ケーブルの断線などの不具合を調べることが可能となり、誤測定の恐れをなくして正確な回線試験を行うことが可能となる。
【発明を実施するための最良の形態】
【００１９】
以下、本発明の最良の実施形態を添付図面を参照しながら説明する。
【００２０】
図１において、交換機１から電話機２までの電話回線３が示されている。この電話回線３は、例えば、交換機１が設置されたＡ地点から、Ｂ地点を経由して、電話機２が設置されたＣ地点を結ぶもので、Ａ地点では、交換機１に搬送装置４が接続され、Ｃ地点では、電話機２がレピータ装置（ＲＥＰ）５を介して搬送装置６に接続され、Ｂ地点では、Ａ地点の搬送装置４と伝送路７を介して接続される搬送装置８とＣ地点の搬送装置６と伝送路９を介して接続される搬送装置１０とがＩＤＦ(中間配線盤：intermediate distribution frame)１１を介して接続された構成となっている。
【００２１】
交換機１と搬送装置４との間、レピータ装置５と搬送装置６との間、及び搬送装置８，１０とＩＤＦ１１との間は、それぞれ６Ｗ（６ワイヤ：送信用２Ｗ、受信用２Ｗ、ベル用２Ｗ）の搬送回線で接続され、電話機２とレピータ装置５との間は、２Ｗ（２ワイヤ）の電話回線で接続されている。
【００２２】
試験用電話機２０は、図２にも示されるように、電話番号の入力や各種操作をするための操作ボタンやダイヤル等で構成された操作部２１と、入力内容や着信内容等を表示する液晶パネル等で構成された表示部２２と、着信を知らせる着信音を出力するためのスピーカ２３と、受信した音声を出力するためのスピーカ２４と、送信する音声を入力するためのマイク２５と、測定ケーブル２６の接続プラグが装着可能な入出力差込口（コネクタ部）２７と、外部の電源コンセントに接続するための電源プラグ２８及び電源コード２９を有している。
【００２３】
この試験用電話機２０の構成を説明すると、測定ケーブルが装着される入出力差込口（コネクタ部）２７は、搬送回線に通じる搬送装置４，６，８，１０の測定端子４ａ，６ａ，８ａ，１０ａに接続可能な測定ケーブル２６ａの接続プラグと、レピータ装置５の２線電話回線接続用端子５ａに接続可能な測定ケーブル２６ｂの接続プラグとが選択的に装着可能となっており、入出力線３０を介して６Ｗ／２Ｗ切替器３１に接続されている。
【００２４】
６Ｗ／２Ｗ切替器３１は、入出力差込口（コネクタ部）２７を介して前記測定ケーブル２６に接続する入出力線３０を前記搬送回線に通じる測定端子４ａ，６ａ，８ａ，１０ａとの間で信号を送受可能とする状態、即ち、入線を６Ｗとするか、レピータ装置５の２線電話回線接続用の端子との間で信号を送受可能とする状態、即ち、入線を２Ｗとするかを作業者の操作によって切り替え可能としている。
【００２５】
また、試験用電話機２０は、６Ｗ／２Ｗ切替器３１により入出力線３０を搬送回線に通じる測定端子との間で信号を送受可能とする状態に切り替えられた場合（入線を６Ｗとする切り替えが行われた場合）に、入出力線３０を６Ｗ／２Ｗ切替器３１を介して６Ｗで電気的に接続する６Ｗ／２Ｗ変換回路３２と、６Ｗ／２Ｗ切替器３１により入出力線３０をレピータ装置５の２線電話回線接続用端子５ａとの間で信号を送受可能とする状態に切り替えられた場合（入線を２Ｗとする切り替えが行われた場合）に、入出力線３０を６Ｗ／２Ｗ切替器３１を介して２Ｗで電気的に接続する回線処理部３３とを有する。この６Ｗ／２Ｗ変換回路３２と回線処理部３３とは２線電話回線（２Ｗ）を介して接続されている。
【００２６】
このうち、６Ｗ／２Ｗ変換回路３２は、６Ｗの電話回線を２Ｗの電話回線に変換して搬送回線と２線電話回線との間を中継接続するレピータ装置としての機能を有する。
また、回線処理部３３は、２線回線を介して信号の送受信に伴う処理を行うもので、ここに接続されるマイク２５を介して入力される音声信号などを電話回線へ送出する処理や、電話回線からの音声信号などを受信してスピーカ２３，２４を介して出力する処理などを行う。
【００２７】
この回線処理部３３での処理は、マイクロコンピュータ等で構成された制御部３５によって制御されるようになっており、制御部３５に接続された前記操作部２１からの各種操作等に基づき送受信に伴う処理がなされる。また、制御部には、表示部２２が接続され、操作部２１で操作された電話番号などが制御部３５の制御により表示部２２に表示されるようになっている。
【００２８】
さらに、試験用電話機２０は、入出力差込口（コネクタ部）２７に接続された測定ケーブル２６の導通試験を行うためのケーブルテスト部３６、電源ユニット３７、電源ユニット３７に接続される電源コード２９を巻き取り可能とするコード巻取機３８が設けられている。ケーブルテスト部３６は、入出力差込口（コネクタ部）２７に接続された測定ケーブル２６の先端を終端させることで、導通の有無を判断し、その結果を表示部２２に表示させるようにしている。
尚、電源ユニット３７は、外部電源によらず、内部に収容される乾電池などにより電力を供給するようにしてもよい。
【００２９】
以上の構成において、図１に示した電話回線３において、電話機２が通話できなくなり、電話機２を交換しても通話できない場合には、従来であれば、交換機側から回線を切り分けて試験を行うようにしているが、本試験用電話機２０を用いる場合には、交換機側の搬送装置４から、順次、測定端子４ａ，６ａ，８ａ，１０ａに測定ケーブル２６ａの一端を接続し、その測定ケーブル２６ａの他端を試験用電話機２０の入出力差込口（コネクタ部）２７に装着し、これと同時に、６Ｗ／２Ｗ切替器３１を操作して入出力線３０を搬送回線に通じる測定端子との間で信号を送受可能とする状態にする（入出力線を６Ｗにする切り替えを行う）。これにより、入出力差込口（コネクタ部）２７に装着された測定ケーブル２６ａは、６Ｗ／２Ｗ切替器３１、６Ｗ／２Ｗ変換回路３２を介して回線処理部３３に接続され、６Ｗ／２Ｗ変換回路３２を従来のレピータ装置として機能させているので、ぞれぞれの搬送装置４，６，８，１０の測定端子４ａ，６ａ，８ａ，１０ａを用いて直接試験を行うことが可能となる。
【００３０】
このため、従来必要であった、レピータ装置や１．５ＭＰＤＨ装置が無くても各地点の搬送装置４，６，８，１０で試験が可能となる。また、従来においては、例えば、Ｂ地点の搬送装置１０が故障している場合、Ｂ地点では、搬送装置１０よりも交換機側の故障の有無が分かるだけで、搬送装置１０の故障の有無はＢ地点では判断できず、Ｃ地点に移動して試験をする必要があったが、本試験用電話機２０を用いることで、Ｂ地点において搬送装置１０から交換機１間の試験が可能となる。このため、地点間を移動を減らすことが可能となり、作業効率を向上させることが可能となる。また、試験を行うために従来必要であったＩＤＦ１１のジャンパ線の接続切替えも不要となるため、作業効率を一層高めることが可能となる。
【００３１】
さらに、上述の構成においては、入出力差込口（コネクタ部）２７に接続された測定ケーブル２６の先端を終端させることで、ケーブルテスト部３６で測定ケーブル２６の導通試験が行われるので、測定ケーブル２６の断線による誤測定を避けることが可能となる。
【００３２】
以上の試験は、搬送装置４，６，８，１０の測定端子４ａ，６ａ，８ａ，１０ａに試験用電話機２０を接続して電話回線３又は搬送装置４，６，８，１０を試験する構成であるが、レピータ装置５の故障の有無を調査する場合には、専用の測定コード２６ｂを用いて、その一端をレピータ装置５の空いている２線電話回線接続用端子５ａに接続し、その測定ケーブル２６ｂの他端を試験用電話機２０の入出力差込口（コネクタ部）２７に装着し、これと同時に、６Ｗ／２Ｗ切替器３１を操作して入出力線３０をレピータ装置５の２線電話回線接続用端子との間で信号を送受可能とする状態とする（入出力線を２Ｗにする切り替えを行う）。
【００３３】
これにより、入出力差込口（コネクタ部）２７に装着された測定ケーブル２６ｂは、６Ｗ／２Ｗ切替器３１を介して回線処理部３３に直接接続され、試験用電話機を従来の２線電話回線に接続される試験用電話機として機能させることが可能となるので、レピータ装置５の故障の有無の試験も可能となる。
【００３４】
尚、上述の構成においては、交換機１との間で回線や装置に異常があるか否かを試験する手法を示したが、例えば、Ｃ地点の電話機２のダイヤル信号や発信信号を、Ｂ地点の搬送装置１０の測定端子１０ａに接続された本試験用電話機２０で受けて異常の有無を判断すれば、対交換機１か対電話機２かの故障判別が可能となる。このため、作業者の地点間の移動をより少なくして、回線や装置を試験することが可能となり、作業労力の軽減や作業対応時間の短縮を図ることが可能となる。
【図面の簡単な説明】
【００３５】
【図１】図１は、本発明に係る試験用電話機で試験をする電話回線を示す図である。
【図２】図２は、本発明に係る試験用電話機の外観と構成図を示す図である。
【図３】図３は、電話回線を試験する従来の試験用電話機を用いた試験方法を説明する図である。
【符号の説明】
【００３６】
２  電話機
５  レピータ装置（ＲＥＰ）
・  伝送路
２７  入出力差込口（コネクタ部）
３１  ６Ｗ／２Ｗ切替器（入線切替部）
３２  ６Ｗ／２Ｗ変換回路（回線変換部）
３３  回線処理部
３６  ケーブルテスト部
【図１】
2008271061.tif 000003
【図２】
2008271061.tif 000004
【図３】
2008271061.tif 000005